(57)【要約】  【課題】  脚の付け根や膝などの曲げ伸ばしに対するツッパリ感を解消することができる作業服下衣を提供する。  【解決手段】  前身頃２と後身頃３とが縫い合わされた身頃地１０と、前記身頃地１０の上端部に縫製された環状のウエストベルト地４と、前記ウエストベルト地４と身頃地１０を跨いで縫製された複数のベルトループ５を有する作業服下衣１である。前記前身頃２は、膝部に上下方向に伸縮可能な膝部ストレッチ地２２を有し、前記後身頃３は、上下方向のストレッチ性を有し前記ウエストベルト地４と縫製された上辺縁部６ａと上辺縁部両端から幅方向中央に斜行する斜辺縁部６ｂを備えた三角形状のヨーク地６と、前記ヨーク地６の斜辺縁部６ａに沿って縫製される上部後身頃３１と、前記上部後身頃３１の下方に位置する下部後身頃３２とを有する。【選択図】  図２
2019073820.tif 000002
【特許請求の範囲】
【請求項１】
前身頃と後身頃とが縫い合わされた身頃地と、前記身頃地の上端部に縫製された環状のウエストベルト地と、前記ウエストベルト地と身頃地を跨いで縫製された複数のベルトループを有する作業服下衣であって、
前記前身頃は、膝部に上下方向に伸縮可能な膝部ストレッチ地を有し、
前記後身頃は、上下方向のストレッチ性を有し前記ウエストベルト地と縫製された上辺縁部と上辺縁部両端から幅方向中央に斜行する斜辺縁部を備えた三角形状のヨーク地と、前記ヨーク地の斜辺縁部に沿って縫製される上部後身頃と、前記上部後身頃の下方に位置する下部後身頃とを有する、作業服下衣。
【請求項２】
前記前身頃は、前記ウエストベルト地と前記膝部ストレッチ地との間に縫製される上部前身頃と、前記膝部ストレッチ地の下部に縫製される下部前身頃とを備える、請求項１に記載の作業服下衣。
【請求項３】
前記膝部ストレッチ地及びヨーク地は、横方向に延びる凹凸加工を備えることにより、上下方向にストレッチ性を有する、請求項１又は２に記載の作業服下衣。
【請求項４】
前記ヨーク地は、下端部に反射材を有する、請求項１から３のいずれか１つに記載の作業服下衣。
【請求項５】
前記後身頃は、上部後身頃と下部後身頃との間に配置され、着用時に前記利用者の臀部を被覆する臀部当て布を有し、前記臀部当て布と上部後身頃との縫製ラインは、中央から外側に向かうにつれて下方向に傾斜する、請求項１から４のいずれか１つに記載の作業服下衣。
【請求項６】
前記当て布と上部後身頃との縫製ラインに沿って縫製されたポケット地をさらに有する、請求項５に記載の作業服下衣。
【発明の詳細な説明】
【技術分野】
【０００１】
本発明は、作業時における身体動作の自由度を高める作業服下衣に関し、特に腰および脚付け根の屈曲時に、伸長側の生地の引きつりを緩和する、着用者の作業性に優れた作業服に関する。
【背景技術】
【０００２】
従来、作業服は各種作業において広く用いられている。一般的に、作業服には動きやすさが求められている。作業服においては、作業時の関節の動きに対して伸長側の生地の引きつりによる所謂「ツッパリ感」が問題となる。生地のツッパリ感を解消のために、作業服のサイズに余裕を持たせ、ゆったりとした作業服下衣にすることもできるが、作業服のだぶついた部分が動作の邪魔になったり機械などの他の部材へ引っかかるなどの問題もある。したがって、ゆったりとした作業服よりも着用者の体型にあったスリムなシルエットを持った作業服下衣が望まれている。
【０００３】
作業服下衣において、生地の引きつりを解消するための手段の１つとしては、着用時に関節部分に対応する部分に立体裁断を施した衣服が知られている。立体裁断を施した作業服下衣としては、例えば、特許文献１(特下衣２００２-３８３２２号公報)の図４及び図５などに記載されている。
【０００４】
特許文献１に記載された作業服下衣は、後身頃を膝関節部分及び股関節部分で分断し、ヒップ背面部、大腿背面部、脛背面部の３つ生地で構成し、当該生地の縫い合わせ部分に立体裁断を施すことで、後身頃に予め動作に応じた伸張分の形状を持たせて縫製している。
【０００５】
また、生地の引きつりによるツッパリ感を解消する他の方法としては、生地にストレッチ性を持たせ、作業時の関節の動きに対する伸長側の生地が伸張するようにする技術も知られている。
【先行技術文献】
【特許文献】
【０００６】
【特許文献１】特開２００２−３５３２２号公報
【発明の概要】
【発明が解決しようとする課題】
【０００７】
後身頃の関節部分のみ立体縫製を施すと、後身頃の縫製作業及び、前身頃と後身頃の縫製作業が煩雑になるという問題があった。
【０００８】
また、ストレッチ性を有する生地は、一般的に擦過性に対する耐久性や通気性、吸湿性などの生地としての性能において、作業服などに好適に用いることができない場合があった。
【０００９】
本発明は、上記事情に鑑みて創案されたものであり、脚の付け根や膝などの曲げ伸ばしに対するツッパリ感を解消することができる作業服下衣を提供するものである。
【課題を解決するための手段】
【００１０】
本発明は、上記技術的課題を解決するために、以下の構成の作業服下衣を提供する。
【００１１】
本発明の第１態様によれば、前身頃と後身頃とが縫い合わされた身頃地と、前記身頃地の上端部に縫製された環状のウエストベルト地と、前記ウエストベルト地と身頃地を跨いで縫製された複数のベルトループを有する作業服下衣であって、
前記前身頃は、膝部に上下方向に伸縮可能な膝部ストレッチ地を有し、
前記後身頃は、上下方向のストレッチ性を有し前記ウエストベルト地と縫製された上辺縁部と上辺縁部両端から幅方向中央に斜行する斜辺縁部を備えた三角形状のヨーク地と、前記ヨーク地の斜辺縁部に沿って縫製される上部後身頃と、前記上部後身頃の下方に位置する下部後身頃とを有する、作業服下衣を提供する。
【００１２】
本発明の第２態様によれば、前記前身頃は、前記ウエストベルト地と前記膝部ストレッチ地との間に縫製される上部前身頃と、前記膝部ストレッチ地の下部に縫製される下部前身頃とを備える、第１態様の作業服下衣を提供する。
【００１３】
本発明の第３態様によれば、前記膝部ストレッチ地及びヨーク地は、横方向に延びる凹凸加工を備えることにより、上下方向にストレッチ性を有する、第１又は第２態様の作業服下衣を提供する。
【００１４】
本発明の第４態様によれば、前記ヨーク地は、下端部に反射材を有する、第１から第３態様のいずれか１つの作業服下衣を提供する。
【００１５】
本発明の第５態様によれば、前記後身頃は、上部後身頃と下部後身頃との間に配置され、着用時に前記利用者の臀部を被覆する臀部当て布を有し、前記臀部当て布と上部後身頃との縫製ラインは、中央から外側に向かうにつれて下方向に傾斜する、第１から第４態様のいずれか１つの作業服下衣を提供する。
【００１６】
本発明の第６態様によれば、前記当て布と上部後身頃との縫製ラインに沿って縫製されたポケット地をさらに有する、第５態様の作業服下衣を提供する。
【発明の効果】
【００１７】
本発明は、作業服の膝部前側及び腰部中央部分にストレッチ性を有する膝部ストレッチ地及びヨーク地を配置しているので、着用者の動作に応じて当該生地が伸張するため、利用者の身体の曲げ伸ばしに対して作業服のツッパリ感を総合的に緩和できる。
【図面の簡単な説明】
【００１８】
【図１】図１は、本発明の第１実施形態の作業服下衣の正面図である。
【図２】図２は、図１の作業服下衣の背面図である。
【図３】図３は、本発明の第２実施形態の作業服下衣の正面図である。
【図４】図４は、図３の作業服下衣の背面図である。
【発明を実施するための形態】
【００１９】
以下に本発明の各実施形態にかかる作業服下衣について、図に従って詳細に説明する。
【００２０】
(第１実施形態)
図１は本発明の第１実施形態の作業服下衣の正面図である。図２は、図１の作業服下衣の背面図である。この作業服下衣１は前身頃２及び後身頃３をそれぞれ身頃地縫製ライン１１で縫い合わせた身頃地１０と、身頃地１０の上端に縫製された環状のウエストベルト地４と、ウエストベルト地４と身頃地１０を跨いで縫製された複数のベルトループ５を有する。
【００２１】
図１に示すように、身頃地１０を構成する前身頃２は、左右の前身頃地２Ｌ，２Ｒが幅方向中央部分で縫い合わされており、左右の前身頃地２Ｌ，２Ｒは、それぞれ上部前身頃２１、膝部ストレッチ地２２、下部前身頃２３の３つの生地が縫製されて構成されている。
【００２２】
上部前身頃２１は、前身頃２の最上部に位置し、上端にウエストベルト地４が縫製されている。本実施形態では、上部前身頃２１には、ポケット９が縫製されている。ポケット９は、上部前身頃２１のポケット縫製ライン８ａ、後身頃３との身頃地縫製ライン１１、及び前身頃に配置される向布８、によって環状に縫製される。
【００２３】
膝部ストレッチ地２２は、上部前身頃２１の下方に縫製される。膝部ストレッチ地２２は、少なくとも上下方向に伸縮性を有する生地で構成されている。これにより、膝の曲げによる前身頃の突っ張りを軽減することができる。
【００２４】
本実施形態では、膝部ストレッチ地２２は、略水平方向に延びる凹凸２２ａが互いに平行に配置されたエンボス構造を有しており、当該凹凸が延びることによって、上下方向へのストレッチ性を有する。エンボス構造としては、生地をプレスして凹凸を設けてもよいし、生地を折り畳んでプリーツを配置してもよい。
【００２５】
なお、膝部ストレッチ地２２にストレッチ性を持たせる手段としては、上記のエンボス構造に限定されない。例えば、伸縮性の糸を使用したり、ゴム編み地を使用するなど生地の編製により、ストレッチ性を持たせてもよい。
【００２６】
なお、本実施形態では、膝部ストレッチ地２２の伸縮性により膝部のツッパリ感を解消することができるため、上部前身頃２１と膝部ストレッチ地２２の前上部縫製ライン１２は立体裁断を採用していない。ただし、前上部縫製ライン１２に立体縫製を施すこともできる。
【００２７】
下部前身頃２３は、膝部ストレッチ地２２の下側に縫製され、前身頃２の裾部分を構成する。膝部ストレッチ地２２と下部前身頃２３の前下部縫製ライン１３は、膝部ストレッチ地２２の伸縮性により膝部のツッパリ感を解消することができるため、前上部縫製ライン１２と同様に、立体裁断を採用していない。ただし、前下部縫製ライン１３に立体縫製を施すこともできる。
【００２８】
図２に示すように、身頃地１０を構成する後身頃３は、中央に位置するヨーク地６と、左右の後身頃地３Ｌ，３Ｒが幅方向中央部分で縫い合わされている。左右の後身頃地３Ｌ，３Ｒは、上部後身頃３１と下部後身頃３２の２つの生地が縫製されている。
【００２９】
ヨーク地６は、少なくとも上下方向のストレッチ性を有する三角形状の生地で構成されている。ヨーク地６は、ウエストベルト地４と縫製された上辺縁部６ａと、上辺縁部両端６ａから幅方向中央に斜行する斜辺縁部６ｂを備えた三角形状を有する。
【００３０】
ヨーク地６の大きさは、特に限定されるものではないが、上辺縁部６ａが後身頃の幅方向の大部分となるように設けられる。また、上下方向寸法は、着用時に下端が尾てい骨近傍に到達する程度の大きさであることが好ましい。
【００３１】
ヨーク地６は、膝部ストレッチ地２２と同様にストレッチ性を有する生地が用いられており、略水平方向に延びる凹凸６ｃが互いに平行に配置されたエンボス構造を有し、上下方向へのストレッチ性を有する。なお、ストレッチ性を持たせる手段としては、膝部ストレッチ地２２と同様に上記のエンボス構造に限定されない。
【００３２】
また、本実施形態では、ヨーク地の下側部分には、三角形の反射材７が重ねて配置されている。反射材７は、入射した光を再帰反射させて、外部から視認しやすくするために設けられており、従来から用いられている反射材を使用することができる。なお、反射材の配置場所は、ヨーク地６に限定されるものではなく、作業服としての機能を損なわず、また、外から視認しやすい場所であれば、特に限定されない。
【００３３】
上部後身頃３１は、ヨーク地６の斜辺縁部６ｂに沿って縫製される。上部後身頃３１とヨーク地６のヨーク縫製ライン１４は、ヨーク地６のストレッチ性により、ツッパリ感を解消することができるため、立体裁断されていない。ただし、ヨーク縫製ライン１４に立体縫製を施すこともできる。
【００３４】
下部後身頃３２は、着用時に利用者の脚部を被覆し、上部後身頃３１の下方に配置される。上部後身頃３１と下部後身頃３２との後下部縫製ライン１５は、着用時に股関節あたりに位置し、立体裁断はなされていない。ただし、後下部縫製ライン１５に立体縫製を施すこともできる。
【００３５】
環状のウエストベルト地４は、身頃地１０の上端に縫製される。ウエストベルト地４は、ボタン４０やホック（図示なし）などにより両端を止めて、着用時に環状とすることができればよい。また、環状のウエストベルト地４は、ゴム素材などの周方向に伸縮自在な生地を用いてもよい。
【００３６】
ウエストベルト地４には、ベルトを通すためのベルトループ５が複数設けられる。ベルトループ５は、上端がウエストベルト地４に縫製され、下端が、身頃地１０に縫製される。すなわち、ベルトループ５は、ウエストベルト地４と身頃地１０を跨いで縫製される。
【００３７】
ベルトループ５は、ベルトを作業服下衣の周囲に囲繞可能にガイドすることができれば、設置数や周方向寸法は特に限定されるものではない。ただし、少なくとも１つのベルトループ５は、ヨーク地６に縫製される。本実施形態では、図２に示すように、２つのベルトループ５がヨークと縫製されている。これにより、着用時において、ストレッチ性を有するヨーク地６が、通常姿勢において変形することを防止することができる。
【００３８】
本実施形態にかかる作業服下衣１は、膝部前側及び腰部中央部分にストレッチ性を有する膝部ストレッチ地及びヨーク地を配置しているので、着用者の動作に応じて当該生地が伸張するため、利用者の身体の曲げ伸ばしに対して作業服のツッパリ感を総合的に緩和できる。また、当該ストレッチ地２２及びヨーク地６は、作業服下衣として、ツッパリ感が大きい部分にのみ最小限に設けられているため、作業服としての耐久性を確保することができる。
【００３９】
さらに、ベルトループ地５が、ウエストベルト地４とヨーク地６とを跨ぐように配置されているため、ストレッチ性を有するヨーク地６が、通常姿勢において変形することを防止することができ、また、しゃがんだりイスに座ったりした状態で腰を曲げた姿勢において、ヨーク地６の必要な伸縮を確保することができる。
【００４０】
（第２実施形態）
図３は、本発明の第２実施形態の作業服下衣の正面図である。図４は、図３の作業服下衣の背面図である。本実施形態にかかる作業服下衣４１は、第１の実施形態にかかる作業服下衣１と部分的に共通する構成を有するため、以下、第１の実施形態にかかる作業服下衣１と異なる点を中心に説明し、共通する構成については同一の符号を付して説明を省略する。
【００４１】
本実施形態の作業服下衣４１は、前身頃４２及び後身頃４３をそれぞれ身頃地縫製ライン１１で縫い合わせた身頃地５０と、身頃地５０の上端に縫製された環状のウエストベルト地４と、ウエストベルト地４と身頃地５０を跨いで縫製された複数のベルトループ５４を有する。
【００４２】
図３に示すように、身頃地５０を構成する前身頃４２は、左右の前身頃地４２Ｌ，４２Ｒが幅方向中央部分で縫い合わされており、左右の前身頃地４２Ｌ，４２Ｒは、それぞれ上部前身頃５１、膝部ストレッチ地２２、下部前身頃２３の３つの生地が縫製されて構成されている。
【００４３】
上部前身頃５１は、前身頃４２の最上部に位置し、上端にウエストベルト地４が縫製されている。
【００４４】
膝部ストレッチ地２２は、少なくとも上下方向に伸縮性を有する生地で構成されている。
【００４５】
図４に示すように、身頃地５０を構成する後身頃４３は、中央に位置するヨーク地６と、左右の後身頃地４３Ｌ，４３Ｒが幅方向中央部分で縫い合わされている。左右の後身頃地３Ｌ，３Ｒは、上部後身頃５２と、臀部当て布５３と、下部後身頃３２の３つの生地が縫製されている。
【００４６】
ヨーク地６は、少なくとも上下方向のストレッチ性を有する三角形状の生地で構成されている。また、本実施形態では、ヨーク地の下側部分には、三角形の反射材７が設けられていない。
【００４７】
上部後身頃５２は、ヨーク地６の斜辺縁部６ｂの外側方に設けられる。本実施形態では、上部後身頃５２は、ヨーク地６の上下方向寸法よりも短く構成されているが、特に大きさは限定されない。上部後身頃５２は、後述するように、臀部当て布部５３とのポケット縫製ライン１６において、後部ポケットを縫製され、後部ポケットの配置高さに応じて大きさを調整することができる。
【００４８】
上部後身頃５２とヨーク地６のヨーク縫製ライン１４は、ヨーク地６のストレッチ性により、ツッパリ感を解消することができるため、立体裁断されていない。ただし、ヨーク縫製ライン１４に立体縫製を施すこともできる。
【００４９】
臀部当て布部５３は、上部後身頃５２の下方に縫製される。本実施形態では、臀部当て布部５３には、ポケット５５が縫製により形成されている。ポケット５５は、上部後身頃５２のポケット縫製ライン１６と下部後見頃３２の後下部縫製ライン１５を利用して、臀部当て布部５３の内側に配置される。なお、臀部当て布と上部後身頃とのポケット縫製ライン１６は、中央から外側に向かうにつれて下方向に傾斜し、ポケットの利用の便宜が向上するように構成されている。
【００５０】
ウエストベルト地４には、ベルトを通すためのベルトループ５４，５４ａが複数設けられる。ベルトループ５は、上端がウエストベルト地４に縫製され、下端が、身頃地５０に縫製される。すなわち、ベルトループ５４は、ウエストベルト地４と身頃地５０を跨いで縫製される。
【００５１】
本実施形態において、ヨーク地６に縫製されるベルトループ５４ａは、他のベルトループ５４にくらべて幅が広く構成されている。これにより、通常姿勢におけるヨーク地６の変形を防止することができる。
【００５２】
本実施形態にかかる作業服下衣４１は、膝部前側及び腰部中央部分にストレッチ性を有する膝部ストレッチ地２２及びヨーク地６を配置しているので、着用者の動作に応じて当該生地が伸張するため、利用者の身体の曲げ伸ばしに対して作業服のツッパリ感を総合的に緩和できる。また、当該ストレッチ地２２及びヨーク地６は、作業服下衣として、ツッパリ感が大きい部分にのみ最小限に設けられているため、作業服としての耐久性を確保することができる。
【００５３】
さらに、ウエストベルト地４とヨーク地６とを跨ぐベルトループ地５４ａが、大きく構成されているため、ストレッチ性を有するヨーク地６が、通常姿勢における変形を強力に防止することができ、また、ヨーク地６の必要な伸縮を確保することができる。
【００５４】
以上説明したように、本実施形態にかかる作業服下衣は、膝部前側及び腰部中央部分にストレッチ性を有する膝部ストレッチ地及びヨーク地を配置しているので、着用者の動作に応じて当該生地が伸張するため、利用者の身体の曲げ伸ばしに対して作業服のツッパリ感を総合的に緩和できる。
【００５５】
以上、本発明の実施の形態を説明したが、上述した実施の形態は本発明を実施するための例示に過ぎない。よって、上述した実施の形態に限定されることなく、その趣旨を逸脱しない範囲内で上述した実施の形態を適宜変形して実施することが可能である。
【００５６】
なお、本発明は上記実施形態に限定されるものではなく、その他種々の態様で実施可能である。上記実施形態では、ポケットは前身頃又は後身頃の一方にそれぞれ配置されているが、双方に配置されていてもよいし、双方共に配置されていなくてもよい。また、ポケットは袋状のポケット袋を用いる構成ではなく、身頃地の表面にシート状の記事を縫い付ける構成であってもよい。
【００５７】
また、膝部ストレッチ地は、前身頃の脚部の幅方向全域に設けられているが、例えば、幅方向の中央部にのみ設けられていてもよい。
【符号の説明】
【００５８】
１，４１  作業服下衣
２，４２  前身頃
２Ｌ，２Ｒ，４２Ｌ，４２Ｒ  左右前身頃地
３，４３  後身頃
３Ｌ，３Ｒ，４３Ｌ，４３Ｒ  左右後身頃地
４  ウエストベルト地
５，５４，５４ａ  ベルトループ
６  ヨーク地
６ａ  上辺縁部
６ｂ  斜辺縁部
６ｃ  凹凸
７  反射材
８  向布
８ａ，１６  ポケット縫製ライン
９，５５  ポケット
１０，５０  身頃地
１１  身頃地縫製ライン
１２  前上部縫製ライン
１３  前下部縫製ライン
１４  ヨーク縫製ライン
１５  後下部縫製ライン
２１，５１  上部前身頃
２２  膝部ストレッチ地
２２ａ  凹凸
２３  下部前身頃
３１，５２  上部後身頃
３２  下部後身頃
４０  ボタン
５３  臀部当て布
【図１】
2019073820.tif 000003
【図２】
2019073820.tif 000004
【図３】
2019073820.tif 000005
【図４】
2019073820.tif 000006